(57)【要約】【課題】  立体撮像に使用する種類の異なる２つのレンズ装置が適している組み合わせかどうか判断することができる立体カメラ用のレンズシステム、及びレンズ装置を提供する。【解決手段】レンズシステムは、２つのレンズ装置と、２つのレンズ装置を互いに無線通信可能に接続する無線通信手段と、該無線通信手段によって通信接続された２つのレンズ装置それぞれに予め設定されている諸元を参照するための参照用データが記憶された記憶部と、参照用データに基づいて、２つのレンズ装置の諸元の重複範囲を演算する演算部と、諸元の重複範囲を表示する表示手段と、を備える。【選択図】図２
2014115302.tif 000002
【特許請求の範囲】
【請求項１】
立体画像を撮影する立体カメラ用のレンズシステムであって、
２つのレンズ装置と、
前記２つのレンズ装置を互いに無線通信可能に接続する無線通信手段と、
前記無線通信手段によって通信接続された前記２つのレンズ装置それぞれに予め設定されている諸元を参照するための参照用データが記憶された記憶部と、
前記参照用データに基づいて、前記２つのレンズ装置の前記諸元の重複範囲を演算する演算部と、
前記諸元の重複範囲を表示する表示手段と、を備える立体カメラ用のレンズシステム。
【請求項２】
請求項１に記載のレンズシステムであって、
前記表示手段は、前記無線通信手段によって通信接続された前記２つのレンズ装置の前記諸元の重複範囲をグラフで表示する表示部を含むレンズシステム。
【請求項３】
請求項１又は２に記載のレンズシステムであって、
前記表示手段は、前記２つのレンズ装置を通信接続したことがあるかを示す履歴情報を表示するレンズシステム。
【請求項４】
請求項１から３のいずれか１項に記載のレンズシステムであって、
前記表示手段は、前記無線通信手段によって通信接続された前記２つのレンズ装置における前記諸元の重複範囲の有無及び該重複範囲の広さのうち少なくとも一方に応じた点滅動作を行う発光部を含むレンズシステム。
【請求項５】
請求項１から３のいずれか１項に記載のレンズシステムであって、
前記表示手段は、前記無線通信手段によって通信接続された前記２つのレンズ装置における前記諸元の重複範囲の広さに応じた点滅動作を行う発光部を含むレンズシステム。
【請求項６】
請求項４又は５に記載のレンズシステムであって、
前記発光部はＬＥＤであるレンズシステム。
【請求項７】
請求項１から６のいずれか１項に記載のレンズシステムであって、
前記諸元は、焦点距離、被写体距離の少なくとも１つを含むレンズシステム。
【請求項８】
立体画像を撮影する立体カメラ用のレンズ装置であって、
他のレンズ装置と無線通信可能に接続する無線通信手段と、
前記レンズ装置と、前記他のレンズ装置とに予め設定されている諸元を参照するための参照用データが記憶された記憶部と、
前記参照用データに基づいて、前記レンズ装置と、前記他のレンズ装置の前記諸元の重複範囲を演算する演算部と、
前記諸元の重複範囲を表示する表示手段と、を備えるレンズ装置。
【請求項９】
請求項８に記載のレンズ装置であって、
前記表示手段は、前記諸元の重複範囲をグラフで表示する表示部を含むレンズ装置。
【発明の詳細な説明】
【技術分野】
【０００１】
本発明は、立体カメラ用のレンズシステム、及びレンズ装置に関する。
【背景技術】
【０００２】
従来、２台のテレビカメラを並列に配置して、右目用と左目用の視差画像を撮影することにより、立体画像を取得する立体カメラが開発されている。このような立体カメラに使用される２台のレンズ装置は、フォーカス、ズーム（焦点距離）、絞りなど制御対象の状態（位置）によって変化する撮影条件が常に一致するように同時に駆動されるようになっている。
【０００３】
２台のレンズ装置の撮影条件が同一になるように制御する立体カメラ用のレンズ制御装置としては、特許文献１に示すものがある。特許文献１に記載された立体カメラ用のレンズシステムは、完全に同一の仕様である右目用のレンズと左目用各レンズを備え、立体撮像時に右目用のレンズ装置及び左目用のレンズ装置のそれぞれの画角を略同一にするように制御を行っている。
【先行技術文献】
【特許文献】
【０００４】
【特許文献１】特開２００６−１３９０１５号公報
【発明の概要】
【発明が解決しようとする課題】
【０００５】
ところで、従来では、種類の全くことなる２つのレンズ装置を用いて立体撮像を行うことについては知見がなかった。種類の異なる２つのレンズ装置を用いて立体撮像を行うには、撮影条件が同一になるように各レンズ装置を制御する必要がある。このような制御を行う際には、２つのレンズ装置のそれぞれの諸元が全く異なり、各レンズ装置の撮影条件を同一にすることができないため、良好な立体画像を得ることができない。しかし、ユーザは、種類の異なる２つのレンズ装置を用いて立体撮像を行うときに、これら２つのレンズ装置が立体撮像用として適した組み合わせであるかどうか判断することができない。
【０００６】
本発明は、立体撮像に使用する種類の異なる２つのレンズ装置が適している組み合わせかどうか判断することができる立体カメラ用のレンズシステム、及びレンズ装置を提供することにある。
【課題を解決するための手段】
【０００７】
本発明の立体カメラ用のレンズシステムは、
２つのレンズ装置と、
前記２つのレンズ装置を互いに無線通信可能に接続する無線通信手段と、
前記無線通信手段によって通信接続された前記２つのレンズ装置それぞれに予め設定されている諸元を参照するための参照用データが記憶された記憶部と、
前記参照用データに基づいて、前記２つのレンズ装置の前記諸元の重複範囲を演算する演算部と、
前記諸元の重複範囲を表示する表示手段と、を備える。
【０００８】
本発明のレンズ装置は、立体画像を撮影する立体カメラ用のレンズ装置であって、
他のレンズ装置と無線通信可能に接続する無線通信手段と、
前記レンズ装置と、前記他のレンズ装置とに予め設定されている諸元を参照するための参照用データが記憶された記憶部と、
前記参照用データに基づいて、前記レンズ装置と、前記他のレンズ装置の前記諸元の重複範囲を演算する演算部と、
前記諸元の重複範囲を表示する表示手段と、を備える。
【発明の効果】
【０００９】
本発明によれば、立体撮像に使用する種類の異なる２つのレンズ装置が適している組み合わせかどうか判断することができる立体カメラ用のレンズシステム、及びレンズ装置を提供できる。
【図面の簡単な説明】
【００１０】
【図１】立体カメラ用のレンズシステムを説明するためのカメラシステムの全体構成を示すブロック図
【図２】レンズシステムを構成する２つのレンズ装置のうちの一方のレンズ装置の構成を示すブロック図
【図３】レンズシステムにおいて、２つのレンズ装置の諸元の重複範囲に基づいて表示する手順を示すフローチャート
【図４】２つのレンズ装置の諸元である焦点距離の重複範囲を説明する図
【図５】２つのレンズ装置の諸元の重複範囲を表示部に表示させたときの表示画面の一例を示す図
【発明を実施するための形態】
【００１１】
以下、図面を参照して、本発明の立体カメラ用のレンズシステムの実施の形態を説明する。
【００１２】
図１は、立体カメラ用のレンズシステムを説明するためのカメラシステムの全体構成を示すブロック図である。
【００１３】
図１に示すように、カメラシステム１は、カメラ本体１００Ａ，１００Ｂと、立体カメラ用のレンズシステム１０とを含んで構成される。カメラシステム１は、立体画像の撮影に用いられるものである。
【００１４】
レンズシステム１０は、２台のレンズ装置１０Ａ及びレンズ装置１０Ｂを含んでいる。レンズ装置１０Ａは、カメラ本体１００Ａに装着され、レンズ装置１０Ｂは、カメラ本体１００Ｂに装着される。例えば、レンズ装置１０Ａは左目の映像の撮影用として使用され、レンズ装置１０Ｂは右目の映像の撮影用として使用される。ここでは、レンズ装置１０Ａ及びレンズ装置１０Ｂは、種類の異なるレンズ装置を用いることとし、互いに異なる諸元のものとする。
【００１５】
レンズシステム１０において、２台のレンズ装置１０Ａ及び１０Ｂはそれぞれ、無線通信手段として機能する無線アダプタ２を備えている。レンズ装置１０Ａとレンズ装置１０Ｂは、各無線アダプタ２０を用いて無線通信することができるように接続される。
【００１６】
カメラ本体１００Ａには、撮像素子（例えばＣＣＤ撮像素子）や所要の信号処理回路等が搭載されており、レンズ装置１０Ａにより結像された像は、撮像素子により光電変換された後、信号処理回路によって所要の信号処理が施されてＨＤＴＶ方式の映像信号（ＨＤＴＶ信号）として、カメラ本体１００Ａの映像信号出力端子等から外部に出力される。
【００１７】
図２は、立体カメラ用のレンズシステムの要部構成を示したブロック図である。レンズ装置１０Ａ及びレンズ装置１０Ｂはいずれも、光学系（撮影レンズ）と制御系（制御部）とから構成される。レンズ装置１０Ａ及びレンズ装置１０Ｂは、光学系及び制御系のいずれについても同一の構成である。同図では、レンズ装置１０Ａとレンズ装置１０Ｂの同じ構成要素には同じ符号を付している。以下において、レンズ装置１０Ａの構成のみについて説明し、レンズ装置１０Ｂの構成についてはレンズ装置１０Ａと同一として説明を省略する。
【００１８】
レンズ装置１０Ａの光学系（撮影レンズ）には、鏡胴内部においてフォーカスレンズ群ＦＬ、ズームレンズ群ＺＬ、絞りＩＲ、マスターレンズ群（図示せず）等の光学部品が配置されている。フォーカスレンズ群ＦＬやズームレンズ群ＺＬは光軸に沿って前後移動可能に配置されており、フォーカスレンズ群ＦＬの位置を調整することによってフォーカス調整（被写体距離の調整）が行われ、ズームレンズ群ＺＬの位置を調整することによってズーム調整（焦点距離の調整）が行われる。また、絞りＩＲの位置（開口度）を調整することによって光量調整が行われる。撮影レンズに入射してこれらのレンズ群等を通過した被写体光は、図１に示したカメラ本体１００Ａに配置された撮像素子の撮像面に結像される。
【００１９】
レンズ装置１０Ａの制御系には、制御系全体を統括するＣＰＵ３０と、フォーカスレンズ群ＦＬの位置を調整するための駆動力を供給するフォーカスレンズ駆動部３２Ｆと、ズームレンズ群ＺＬの位置を調整するための駆動力を供給するズームレンズ駆動部３２Ｚと、絞りＩＲの位置を調整するための駆動力を供給する絞り駆動部３２Ｉが配置されている。各駆動部には、図示しないが、駆動モータと、該駆動モータに駆動電力を供給するアンプとが設けられている。
【００２０】
レンズ装置１０Ａには、通信ケーブル２が接続される接続部４２と、メモリ等の記憶部４４と、が設けられている。
【００２１】
接続部４２は、無線アダプタ２０と接続するためのインターフェースであって、ＲＳ−２３２等のシリアル通信方式を採用することができる。なお、接続部４２は、他の外部装置と接続するための通信ケーブルについても接続可能であってもよい。
【００２２】
記憶部４４は、レンズ装置１０Ａ及びレンズ装置１０Ｂを接続した際に使用する参照用データが予め記憶されている。参照用データは、製品として提供されている全てのレンズ装置又はその一部のレンズ装置のそれぞれの型名と、これら型名に識別されるレンズ装置の諸元とが関連付けられたテーブルを含む。以下、このテーブルをデータテーブルともいう。参照用データは、レンズ装置１０ＡをＰＣ等の外部装置と接続することで、外部装置を用いて予めレンズ装置１０Ａに入力されたデータであってもよい。又は、参照用データが記録された図示しない記録媒体をレンズ装置１０Ａに接続すること、該記録媒体から記録部４４に書き込まれたものであってもよい。
【００２３】
ここで、参照用データに示されるレンズ装置の諸元とは、各レンズ装置の構成や仕様によって予め設定されているものであって、例えば該レンズ装置を運用することが可能な焦点距離の範囲、被写体距離の範囲である。また、この諸元としては、Ｆ値（レンズの明るさを示す値であり、Ｆナンバーともいう。）やＦドロップ量（ワイド側でＦ値が低下する、所謂、Ｆドロップが生じるとき、そのＦ値の低下量）を含んでいてもよい。以下では、レンズ装置の諸元として焦点距離と被写体距離を用いた場合について説明する。
【００２４】
また、記憶部４４には、レンズ装置１０Ａに固有の識別データ（型名やＩＤを含むデータ）とレンズ装置１０Ａ自体の諸元を示す自己諸元データが記憶されている。
【００２５】
なお、記憶部４４には、撮影時にレンズ装置１０Ａを制御するために必要となる所定の設定情報や、立体画像の撮像時又は再生時に使用する補正データなどが記憶されていてもよい。記憶部４４は、ＣＰＵ３０の制御によって、記憶されているデータが読み出される。
【００２６】
また、レンズ装置１０Ａの制御系には、フォーカスレンズ群ＦＬに連結されたエンコーダ３４Ｆと、ズームレンズレンズ群ＺＬに連結されたエンコーダ３４Ｚが配置されている。
【００２７】
フォーカスレンズ群ＦＬ、ズームレンズ群ＺＬ及び絞りＩＲは、ＣＰＵ３０からの制御信号に基づいてフォーカスレンズ駆動部３２Ｆ、ズームレンズ駆動部３２Ｚ、絞り駆動部３２Ｉが駆動し、目標とする撮影条件に従った状態に制御されるようになっている。
【００２８】
次に、無線アダプタの構成について説明する。
無線アダプタ２０は、ケーブル接続部２２と、表示部２４と、無線制御部２６と、を備えている。
【００２９】
接続部２２は、レンズ装置１０Ａの接続部４２と接続するための通信ケーブル２の一方が接続されるインターフェースであって、ＲＳ−２３２等のシリアル通信方式を採用することができる。なお、接続部２２は、他の外部装置と接続するための通信ケーブルについても接続可能であってもよい。
【００３０】
表示部２４は、ＣＰＵ３０の制御によって、後述するように、レンズ装置１０Ａの諸元とレンズ装置１０Ｂの諸元との重複範囲が表示される。また、表示部２４には、レンズ装置１０Ａのフォーカスやズームなどの動作状態や無線アダプタ２０の通信状態や、その他の状態を示す情報が表示されてもよい。表示部２４は、例えば、ＬＣＤやＬＥＤを採用することができる。
【００３１】
無線制御部２６は、レンズ装置１０Ｂ側の無線アダプタ２０と無線通信を行う際に、データの送信や受信を制御する。また、無線制御部２６は、表示部２４の表示を制御する。更に、無線制御部２６は、接続部２２に接続された通信ケーブル２を介してレンズ装置１０Ａに、レンズ装置１０Ｂから受信したデータを出力する制御を行う。
【００３２】
無線アダプタ２０は、レンズ装置１０Ａに内蔵された構成であってもよい。この場合、レンズ装置１０Ａと無線アダプタ２０とを通信ケーブルで接続する必要がない。
【００３３】
なお、図２には示さないが、レンズ装置１０Ａの鏡筒にドライブユニットが装着されていてもよい。ドライブユニットにＣＰＵ３０等を含む制御系のうちその一部又は全部が設けられていてもよい。ドライブユニットには、ユーザがマニュアルで操作を行う際に使用する画角操作部、フォーカス制御部などが設けられていてもよい。
【００３４】
画角操作部は、テレ（Ｔ）側又はワイド（Ｗ）側に操作されると、ズームリング１６をテレ側又はワイド側に回動し、ズームレンズ群ＺＬの位置を調整することによって、ズーム調整するためのスイッチである。
【００３５】
フォーカス操作部は、操作することによりフォーカスリング１４を回動し、フォーカスレンズ群ＦＬの位置を調整することによって、フォーカス調整するスイッチである。
【００３６】
また、ドライブユニットには、図示しないオート／マニュアルスイッチが設けられ、アイリス絞り径をマニュアル調整又は自動調整できるようになっていてもよい。
【００３７】
レンズ装置１０Ａは、立体画像の撮影を行わない場合には、レンズ装置１０Ｂと無線通信を行わない状態に設定され、カメラ本体１００Ａに装着されることで、ビデオカメラのレンズ装置として単体で使用することができる。
【００３８】
ＣＰＵ３０は、レンズ装置１０Ａとレンズ１０Ｂとが接続ケーブル２で互いに接続されたとき、レンズ装置１０Ａとレンズ１０Ｂが、立体画像の撮影を行う組み合わせとして適しているかを判断する適性判断モードを実行する。
【００３９】
適性判断モードは、レンズ装置１０Ａ及びレンズ装置１０Ｂのうちいずれか一方をメイン側として、メイン側のＣＰＵ３０で行う。レンズ装置１０Ａ及びレンズ装置１０Ｂのうちどちらをメイン側とするかは予め設定によって決められていてもよい。又は、ユーザによって、レンズ装置１０Ａ及びレンズ装置１０Ｂのうちいずれをメイン側とするか選択可能であってもよい。以下の説明では、レンズ装置１０Ａをメイン側とした場合を例に説明する。
【００４０】
図３は、レンズ装置１０Ａとレンズ装置１０Ｂが無線アダプタ２０を用いて接続されたときの処理手順を示したフローチャートである。
【００４１】
レンズ装置１０Ａとレンズ装置１０Ｂとが無線アダプタ２０を用いて接続されると、先ず、ＣＰＵ３０は、レンズ装置１０Ａとレンズ装置１０Ｂとの組み合わせの適性の判断を過去に行ったことがあるかどうかを判断する（ステップＳ１０）。そして、レンズ装置１０Ａとレンズ装置１０Ｂとの組み合わせの適性の判断を過去に行ったことがない場合には、ステップＳ１２の処理手順へ進む。レンズ装置１０Ａとレンズ装置１０Ｂとの組み合わせの適性の判断を既に行ったことがある場合には、本フローの最初の状態に戻る。
【００４２】
ステップＳ１２において、レンズ装置１０ＡのＣＰＵ３０は、接続先であるレンズ装置１０Ｂから該レンズ装置１０Ｂに固有の識別データを受信する制御を実行する。そして、ＣＰＵ３０は、受信した識別データに含まれる型名に基づき、記憶部４４に記憶された参照用データからレンズ装置１０Ｂの型名に関連付けられた諸元（ここでは焦点距離と被写体距離）を抽出する。その後、ステップＳ１４の処理手順に進む。
【００４３】
ステップＳ１４において、ＣＰＵ３０は、自己諸元データに基づくレンズ装置１０Ａの焦点距離及び被写体距離と、抽出したレンズ装置１０Ｂの焦点距離及び被写体距離とを比較し、焦点距離及び被写体距離それぞれついて重複範囲を演算する。その後、ステップＳ１６の処理手順に進む。
【００４４】
ここで、諸元の重複範囲について説明する。図４は、２つのレンズ装置の諸元である焦点距離の重複範囲を説明する図である。図４に示す例では、レンズ装置１０Ａの焦点距離とレンズ装置１０Ｂの焦点距離とが一部の範囲で重複している状態を示している。
【００４５】
図４において、レンズ装置１０Ａの諸元の焦点距離を４０ｍｍ〜１００ｍｍの範囲とし、レンズ装置１０Ｂの諸元の焦点距離を６０ｍｍ〜１２０ｍｍの範囲とした場合、レンズ装置１０Ａとレンズ装置１０Ｂの焦点距離の重複範囲が６０ｍｍ〜１００ｍｍとなる。
【００４６】
レンズ装置１０Ａの諸元の焦点距離を５０ｍｍ〜１００ｍｍの範囲とし、レンズ装置１０Ｂの諸元の焦点距離を５０ｍｍ〜１００ｍｍの範囲とした場合、レンズ装置１０Ａとレンズ装置１０Ｂの焦点距離は完全に一致しており、重複範囲が５０ｍｍ〜１００ｍｍとなる。
【００４７】
レンズ装置１０Ａの諸元の焦点距離を５０ｍｍ〜７０ｍｍの範囲とし、レンズ装置１０Ｂの諸元の焦点距離を８０ｍｍ〜１００ｍｍの範囲とした場合、レンズ装置１０Ａとレンズ装置１０Ｂの焦点距離は全く重複しないため、重複範囲が存在しない。
【００４８】
被写体距離の重複範囲についても、上述した焦点距離の重複範囲と同様に決定される。
【００４９】
図３のフローチャートの処理手順の説明に戻り、ステップＳ１６において、ＣＰＵ３０は、焦点距離の重複範囲、及び被写体距離の重複範囲が存在するか否かを判断する。焦点距離及び被写体距離のうち少なくとも一方について重複範囲が存在する場合には、ステップＳ１８の処理手順へ進む。焦点距離及び被写体距離のいずれも重複範囲が存在しない場合には、ステップＳ２０の処理手順へ進む。
【００５０】
ステップＳ１８において、ＣＰＵ３０は、レンズ装置１０Ａとレンズ装置１０Ｂの焦点距離の重複範囲を、無線アダプタ２０の表示部２４に表示させる。その後、ステップＳ１０の処理手順へ戻る。ユーザは、表示部２４の表示によって、レンズ装置１０Ａ及びレンズ装置１０Ｂの組み合わせがどの程度適性であるかを確認することができる。
【００５１】
次に、表示部２４における表示について説明する。
【００５２】
図５は、諸元の重複範囲を表示部に表示させたときの表示画面の一例を示す図である。図５の例は、表示部２４がＬＣＤで構成され、そのＬＣＤの画面３００を示している。ＣＰＵ３０は、画面３００に、レンズ装置１０Ａの焦点距離と、レンズ装置１０Ｂの焦点距離とを同時に表示させる。こうすれば、ユーザは、組み合わせた２つのレンズ装置１０Ａとレンズ装置１０Ｂそれぞれの焦点距離とともに、これら焦点距離の重複範囲を視覚的に判断することができる。図５の例では、画面３００にレンズ装置１０Ａ及びレンズ装置１０Ｂの焦点距離と重複範囲をグラフで示されているが、数値やその他の図形や記号を用いて表示されてもよい。また、被写体距離の重複範囲を表示させる場合でも、表示部２４に同様に表示される。上述した例では、焦点距離と被写体距離についてそれぞれの重複範囲を表示しているが、表示させる諸元はこれらに限定されない。図５に示すように、諸元としてＦナンバーの重複範囲を表示させてもよい。
【００５３】
また、図５に示すように、表示部２４におけるレンズ装置１０Ａ及びレンズ装置１０Ｂの諸元の重複範囲を示す表示は、ユーザの操作によって切り換えることが可能であってもよい。図５に示す例では、焦点距離が選択され、その表副範囲が表示されているが、ユーザの操作によって表示切替ボタン３０２を「被写体距離」や「Ｆｎｏ（ここでは、Ｆナンバーを意味する。）」に切り換えにより、画面３００に、被写体距離の重複範囲や、Ｆナンバーの重複範囲が切り換えて表示されてもよい。表示部２４の表示を切り替える表示切替ボタン３０２は、無線アダプタ２０に設けられていてもよい。
【００５４】
図３のフローチャートの説明に戻り、ステップＳ２０では、ＣＰＵ３０は、レンズ装置１０Ａとレンズ装置１０Ｂの焦点距離の重複範囲が存在しないことを、無線アダプタ２０の表示部２４に表示させる。ここで、表示部２４は、レンズ装置１０Ａとレンズ装置１０Ｂの焦点距離の重複範囲が存在しない状態を示すグラフや、重複範囲が存在しない旨のメッセージを表示するように制御される。ユーザは、表示部２４の表示によって、レンズ装置１０Ａ及びレンズ装置１０Ｂの組み合わせが不適性であることを確認することができる。その後、ステップＳ１０の処理手順へ戻る。
【００５５】
上述したレンズシステムによれば、ユーザは、立体画像の撮影に、種類の異なる２つのレンズ装置を用いる際に、無線アダプタ２０を用いることで２つのレンズ装置同士を通信ケーブルなどで直接接続する必要がなく、これら２つのレンズ装置の組み合わせが立体画像の撮影を行う上で適しているかどうかを容易に判断することができる。
【００５６】
また、ユーザは、同じ種類の２つのレンズ装置を所有している必要がない。例えば、ユーザは、予め１つのレンズ装置を所有している場合に、所有しているレンズ装置と組み合わせて立体画像の撮影で用いるための候補のレンズ装置を、レンズシステムにおける上述した適性判断モードによって、他の複数のレンズ装置の群から選択することができる。
【００５７】
更に、ユーザは、２つのレンズ装置の組み合わせの適性を判断する際に、無線アダプタの表示部２４の表示によって適性を確認することができるため、各レンズ装置をカメラ本体に取り付けたり、実際に立体画像の撮影を行ったうえで立体画像を再生して確認したりする必要がない。
【００５８】
次に、本発明に係るレンズシステムの変形例について説明する。
【００５９】
図４に示す処理手順では、先に焦点距離及び被写体距離の重複範囲の演算を行ったが、焦点距離及び被写体距離のうち少なくとも一方の重複範囲のみ演算し、表示部２４に表示してもよい。レンズ装置１０Ａは、ユーザの設定によって、どの諸元の重複範囲を表示させるか予め設定されていてもよい。
【００６０】
表示部２４がＬＥＤである場合には、諸元の重複範囲がない場合には、ＬＥＤの点滅のみでユーザに表示を行ってもよい。例えば、レンズ装置１０Ａとレンズ装置１０Ｂにおいて焦点距離の重複範囲が存在するか否かをＬＥＤの点滅動作を変化させることによって表示してもよい。また、レンズ装置１０Ａとレンズ装置１０Ｂにおいて焦点距離の重複範囲の広さに応じてＬＥＤを点滅させる間隔（ＬＥＤの発光から消光までの時間）を変化させてもよい。例えば、重複範囲が、閾値より大きい場合にＬＥＤを長い間隔で点滅させ、閾値未満の場合にはＬＥＤを短い間隔で点滅させてもよい。ここで、閾値とは、例えば、レンズ装置１０Ａの焦点距離とレンズ装置１０Ｂの焦点距離との少なくとも一方を含む全範囲の長さに対する重複範囲の割合を用いることができる。例えば、閾値は、２つのレンズ装置１０Ａ及び１０Ｂの両方の焦点距離を含む全範囲の１０％とする。例えば、レンズ装置１０Ａの諸元の焦点距離を４０ｍｍ〜１００ｍｍの範囲とし、レンズ装置１０Ｂの諸元の焦点距離を６０ｍｍ〜１２０ｍｍの範囲とした場合、レンズ装置１０Ａとレンズ装置１０Ｂの焦点距離の全範囲は４０ｍｍ〜１２０ｍｍであり、全範囲の長さは８０ｍｍであり、閾値は８ｍｍ（＝８０ｍｍ×１０％）となる。なお、閾値は、上述のものに限定されず、他の所定値を用いてもよい。
【００６１】
表示部２４は、上述したＬＣＤとＬＥＤをともに備えた構成としてもよく、いずれか一方のみを備えた構成としてもよい。
【００６２】
図４に示す処理手順において、ＣＰＵ３０は、レンズ装置１０Ａの諸元として、焦点距離、被写体距離、Ｆ値だけでなく、Ｆドロップを使用し、これらの重複範囲を演算し、ユーザに通知してもよい。
【００６３】
上述のレンズシステムの構成において、ＣＰＵ３０が焦点距離及び被写体距離それぞれついて重複範囲を演算する演算部を兼ねているが、ＣＰＵ３０とは別に演算部を設けてもよい。
【００６４】
又は、ＣＰＵ３０は、レンズ装置１０Ａとレンズ装置１０Ｂを通信接続させて、組み合わせの適性を判断したことがあるかを示す履歴情報を記憶部に記憶させておいてもよい。こうすれば、レンズ装置１０Ａは、記憶部４４から履歴情報を読み出すことで、レンズ装置１０Ａとレンズ装置１０Ｂとの組み合わせの適性の判断を過去に行ったことがあるかどうか判断することができる。こうすれば、レンズ装置１０Ａとレンズ装置１０Ｂを２回目以降に接続する場合には、ＣＰＵ３０は、諸元の重複範囲を演算することなく、履歴情報に基づいて、諸元の重複範囲を表示させることができる。例えば、図４に示す処理手順のステップＳ１０において、ＣＰＵ３０は、レンズ装置１０Ｂから該レンズ装置１０Ｂに固有の識別データを参照しなくても、記憶部４４に記憶されている履歴情報に基づいて、レンズ装置１０Ａとレンズ装置１０Ｂとの組み合わせの適性の判断を過去に行ったことがあるかどうか判断することができる。
【００６５】
履歴情報には、レンズ装置１０Ａに接続されたレンズ装置と該レンズ装置がどの程度の適性であったかの情報とを含んでいてもよい。こうすれば、ＣＰＵ３０は、履歴情報を参照することで、例えばレンズ装置１０Ａと適性の高い物から順位を付け、順位とその順位に該当するレンズ装置の情報を表示部２４に表示させることができる。
【００６６】
本明細書は次の事項を開示する。
（１）立体画像を撮影する立体カメラ用のレンズシステムであって、
２つのレンズ装置と、
前記２つのレンズ装置を互いに無線通信可能に接続する無線通信手段と、
前記無線通信手段によって通信接続された前記２つのレンズ装置それぞれに予め設定されている諸元を参照するための参照用データが記憶された記憶部と、
前記参照用データに基づいて、前記２つのレンズ装置の前記諸元の重複範囲を演算する演算部と、
前記諸元の重複範囲を表示する表示手段と、を備える立体カメラ用のレンズシステム。
（２）（１）に記載のレンズシステムであって、
前記表示手段は、前記無線通信手段によって通信接続された前記２つのレンズ装置の前記諸元の重複範囲をグラフで表示する表示部を含むレンズシステム。
（３）（１）又は（２）に記載のレンズシステムであって、
前記表示手段は、前記２つのレンズ装置を通信接続したことがあるかを示す履歴情報を表示するレンズシステム。
（４）（１）から（３）のいずれか１つに記載のレンズシステムであって、
前記表示手段は、前記無線通信手段によって通信接続された前記２つのレンズ装置における前記諸元の重複範囲の有無及び該重複範囲の広さのうち少なくとも一方に応じた点滅動作を行う発光部を含むレンズシステム。
（５）（１）から（３）のいずれか１つに記載のレンズシステムであって、
前記表示手段は、前記無線通信手段によって通信接続された前記２つのレンズ装置における前記諸元の重複範囲の広さに応じた点滅動作を行う発光部を含むレンズシステム。
（６）（４）又は（５）に記載のレンズシステムであって、
前記発光部はＬＥＤであるレンズシステム。
（７）（１）から（６）のいずれか１つに記載のレンズシステムであって、
前記諸元は、焦点距離、被写体距離の少なくとも１つを含むレンズシステム。
（８）立体画像を撮影する立体カメラ用のレンズ装置であって、
他のレンズ装置と無線通信可能に接続する無線通信手段と、
前記レンズ装置と、前記他のレンズ装置とに予め設定されている諸元を参照するための参照用データが記憶された記憶部と、
前記参照用データに基づいて、前記レンズ装置と、前記他のレンズ装置の前記諸元の重複範囲を演算する演算部と、
前記諸元の重複範囲を表示する表示手段と、を備えるレンズ装置。
（９）（８）に記載のレンズ装置であって、
前記表示手段は、前記諸元の重複範囲をグラフで表示する表示部を含むレンズ装置。
【符号の説明】
【００６７】
１０    立体カメラ用のレンズシステム
１０Ａ，１０Ｂ    レンズ装置
２０    無線アダプタ（無線通信手段）
２４    表示部（表示手段）
３０    ＣＰＵ
４４    記憶部
ＦＬ    フォーカスレンズ群
ＺＬ    ズームレンズ群
ＩＲ    絞り
【図１】
2014115302.tif 000003
【図２】
2014115302.tif 000004
【図３】
2014115302.tif 000005
【図４】
2014115302.tif 000006
【図５】
2014115302.tif 000007